(57)【要約】【課題】ステーの組付けを適切に行うことを可能とし、かつキャリアバーに対するステーの組付け位置の調整自由度を向上させることのできるキャリアバーを提供する。【解決手段】長手方向に形成される外殻１２を有し、断面構造に中空領域を備え、ヘッドと括れ部を有するクランプ機構４４を介してステー４０への組付けが成されることでベースキャリアを構成するキャリアバー１０であって、外殻１２には、組付け用開口部１４と、組付け用開口部１４を基端とし、外殻１２の長手方向端部へ向けて延設されており、終端を外殻１２における長手方向端部により構成されている位置決め用開口部１６と、が備えられ、組付け用開口部１４は、クランプ機構４４の前記ヘッドを挿入可能な開口幅、および開口長を有し、位置決め用開口部１６は、組付け用開口部１４よりも狭く、前記括れ部をスライド可能な開口幅と、組付け用開口部１４よりも長い開口長を有することを特徴とする。【選択図】図２
2015058725.tif 000002
【特許請求の範囲】
【請求項１】
長手方向に形成される外殻を有し、断面構造に中空領域を備え、ヘッドと括れ部を有するクランプ機構を介してステーへの組付けが成されることでベースキャリアを構成するキャリアバーであって、
前記外殻には、組付け用開口部と、
前記組付け用開口部を基端とし、前記外殻の長手方向端部側、または長手方向中心側へ向けて延設されており、前記長手方向端部側へ向けて延設されている場合には終端を前記外殻における長手方向端部により構成され、前記外殻の長手方向中心側へ向けて延設されている場合には終端を前記外殻における長手方向中心部により構成されている位置決め用開口部と、が備えられ、
前記組付け用開口部は、前記クランプ機構の前記ヘッドを挿入可能な開口幅、および開口長を有し、
前記位置決め用開口部は、前記組付け用開口部よりも狭く、前記括れ部をスライド可能な開口幅と、前記組付け用開口部よりも長い開口長を有することを特徴とするキャリアバー。
【請求項２】
前記ステーへの取り付け後の前記組付け用開口部、および前記位置決め用開口部の一部を封止するリッドを備えることを特徴とする請求項１に記載のキャリアバー。
【請求項３】
前記リッドを前記組付け用開口部における前記位置決め用開口部と連通していない側の開口端部から、前記中空部における前記外殻の長手方向であって、前記組付け用開口部を封止しない側へ向けて配置し、
前記組付け用開口部、および前記位置決め用開口部を封止する方向へ向けてスライド可能な構成としたことを特徴とする請求項２に記載のキャリアバー。
【請求項４】
前記リッドは、前記クランプ機構に対する係合部を有し、
前記組付け用開口部に挿入された前記クランプ機構と共にスライド可能な構成としたことを特徴とする請求項３に記載のキャリアバー。
【請求項５】
前記リッド、と前記外殻には、前記リッドのスライドに伴い、前記リッドが位置決め手段のどの位置に存在するかを認識するための目印が設けられていることを特徴とする請求項３又は４に記載のキャリアバー。
【請求項６】
長手方向に形成される外殻に、組付け用開口部と、前記外殻の長手方向端部側、または長手方向中心側へ向けて延設されており、前記長手方向端部側へ向けて延設されている場合には終端を前記外殻における長手方向端部により構成され、前記外殻の長手方向中心側へ向けて延設されている場合には終端を前記外殻における長手方向中心部により構成されている位置決め用開口部と、前記組付け用開口部に挿入されるクランプ機構に対する係合部を有し、前記組付け用開口部を基点として前記外殻において前記位置決め用開口部形成方向と反対側に配置され、前記位置決め用開口部側へスライドさせることにより前記組付け用開口部、および前記位置決め用開口部の一部を封止するリッドとを備え、前記組付け用開口部は、前記クランプ機構の前記ヘッドを挿入可能な開口幅、および開口長を有し、前記位置決め用開口部は、前記組付け用開口部よりも狭く、前記括れ部をスライド可能な開口幅と、前記組付け用開口部よりも長い開口長を有するキャリアバーと、
前記キャリアバーを支持するキャリアバー組付け面に、前記組付け用開口部に挿入可能で、前記位置決め用開口部よりも広い幅に構成されたヘッドと、前記位置決め用開口部への侵入を可能とする括れ部とを有するクランプ機構を有するステーとを備え、
前記クランプ機構を前記組付け用開口部に挿入した際に前記リッドの前記係合部を係合させ、前記ステーを前記位置決め用開口部側へスライドさせると共に、前記リッドのスライドを成すことを特徴とするキャリアバーの組付け機構。
【請求項７】
前記リッド、と前記外殻には、前記リッドのスライドに伴い、前記ステーが位置決め手段のどの位置に存在するかを認識するための目印が設けられていることを特徴とする請求項６に記載のキャリアバー組付け機構。
【発明の詳細な説明】
【技術分野】
【０００１】
本発明は、車両ルーフに取り付けるベースキャリアに係り、特にベースキャリアを構成するキャリアバー、およびキャリアバーとステーの組付け構造に関する。
【背景技術】
【０００２】
システムキャリアの基台となるベースキャリアは、キャリアバーと、このキャリアバーを支持するためのステー、およびステーを車両に固定するためのフック等を基本として構成される。
【０００３】
キャリアバーやステー、フックなどは、車種に合わせた専用設計のものも存在するが、一般的には多少の汎用性を持たせるために、組付け調整機構を備えた上で、取り付け可能車種の最大サイズに合わせて設計されている。例えば、特許文献１に開示されているキャリアバーは、ステー組付け位置の調整を可能とするために、キャリアバーにおけるステー組付け側面（下面）に、ステー組付け用の位置決め用開口部を備えており、位置決め用開口部形成範囲において、ステー組付け位置をスライド調整することが可能な構成とされている。
【０００４】
しかし、特許文献１に開示されているような構成のキャリアバーでは、位置決め用開口部は、キャリアバーの長手方向端部から、内側に向かって形成されている。このため、ステーは、キャリアバーの端部側から挿入し、組付け、固定を行うこととなる。このような組付け構造を採用した場合、ステーの挿入角度の許容幅が広くなる。このため、ステーを位置決め用開口部に挿入する際に、傾きや捻れが生じていたり、挿入が不十分な状態、あるいは非適合なステーが採用されていた場合であっても、組付けが出来てしまう可能性がある。
【０００５】
このような実状を鑑み、ステーの組付けを適切に行うことを可能とするキャリアバー、およびその組付け構造が、特許文献２に開示されている。特許文献２に開示されているキャリアバーは、ステーを組み付けるために設けられている位置決め用開口部が、キャリアバーの端部に抜けていない。具体的には、キャリアバーの長手方向端部よりも内側に、位置決め用開口部が設けられている。そして、位置決め用開口部よりもさらに内側にステーのクランプ機構を挿入するための開口部が設けられている。位置決め用開口部と開口部は連通されており、開口部からステーのクランプ機構を挿入し、位置決め用開口部側へスライドさせ、クランプ機構によりステーを固定することで組付けが完了する。
【０００６】
特許文献２に開示されているキャリアバーの位置決め用開口部は、その長さを開口部の長手方向長さと同等、すなわちステーのクランプ機構の長さと同等としている。そして、位置決め用開口部はキャリアバーの端部に抜けておらず、端部部材がストッパとして働く構造とされている。このため、ステーのクランプ機構を開口部から挿入し、キャリアバーの端部側へ向けて切欠き部へスライドさせ、ステーが停止した位置が組付け位置となる。
【０００７】
このような構造のキャリアバーによれば、開口部をステーのクランプ機構に平面視形態に合わせて形成することで、傾いた状態でステーが組付けられることや、非適合なステーが組付けられてしまうことを防ぐことができる。また、キャリアバーの端部部材をストッパとしてステーをスライドさせ、停止位置を組付け位置とすることができるため、挿入が不十分となる虞もない。
【先行技術文献】
【特許文献】
【０００８】
【特許文献１】特表平９−５０７４４７号公報
【特許文献２】特表２０１３−５２５１７５号公報
【発明の概要】
【発明が解決しようとする課題】
【０００９】
確かに、特許文献１に開示されているキャリアバーによれば、ステーを誤った状態で組み付けることを防ぐことが可能となると考えられる。しかし、特許文献２に開示されているような構成の場合、組付け面に設ける溝全体の長さを従来と同じにしようとした場合、ステー組付け位置の調整幅が狭くなってしまうという問題がある。特に、特許文献１に開示されている構成のキャリアバーでは、ステーの組付け位置は、ほぼ一定とされてしまう。
【００１０】
そこで、本発明では、ステーの組付けを適切に行うことを可能とし、かつキャリアバーに対するステーの組付け位置の調整自由度を向上させることのできるキャリアバー、およびキャリアバーの組付け構造を提供することを目的とする。
【課題を解決するための手段】
【００１１】
上記目的を達成するための本発明のキャリアバーは、長手方向に形成される外殻を有し、断面構造に中空領域を備え、ヘッドと括れ部を有するクランプ機構を介してステーへの組付けが成されることでベースキャリアを構成するキャリアバーであって、前記外殻には、組付け用開口部と、前記組付け用開口部を基端とし、前記外殻の長手方向端部側、または長手方向中心側へ向けて延設されており、前記長手方向端部側へ向けて延設されている場合には終端を前記外殻における長手方向端部により構成され、前記外殻の長手方向中心側へ向けて延設されている場合には終端を前記外殻における長手方向中心部により構成されている位置決め用開口部と、が備えられ、前記組付け用開口部は、前記クランプ機構の前記ヘッドを挿入可能な開口幅、および開口長を有し、前記位置決め用開口部は、前記組付け用開口部よりも狭く、前記括れ部をスライド可能な開口幅と、前記組付け用開口部よりも長い開口長を有することを特徴とする。
【００１２】
また、上記のような特徴を有するキャリアバーでは、前記ステーへの取り付け後の前記組付け用開口部、および前記位置決め用開口部の一部を封止するリッドを備えるようにすると良い。このような構成とすることによれば、位置決め用開口部の長さを長くした場合であっても、これに伴う巻き込み風の増加や、騒音を抑制することが可能となる。
【００１３】
また、上記のような特徴を有するキャリアバーでは、前記リッドを前記組付け用開口部における前記位置決め用開口部と連通していない側の開口端部から、前記中空部における前記外殻の長手方向であって、前記組付け用開口部を封止しない側へ向けて配置し、前記組付け用開口部、および前記位置決め用開口部を封止する方向へ向けてスライド可能な構成とすることができる。このような構成とすることによれば、リッドを予めキャリアバーの外殻内部に配置しておくことが可能となる。このため、組み忘れや、リッドの紛失等を防止することができる。
【００１４】
また、上記のような特徴を有するキャリアバーにおいて前記リッドは、前記クランプ機構に対する係合部を有し、前記組付け用開口部に挿入された前記クランプ機構と共にスライド可能な構成とすることが望ましい。このような構成とすることによれば、ステーをキャリアバーに組み付ける際、リッドが自動でスライドし、組付け用開口部や位置決め用開口部による開口を封止することとなる。よって、操作の忘失等が無く、確実に開口を封止することができる。
【００１５】
また、上記のような特徴を有するキャリアバーにおいて、前記リッド、と前記外殻には、前記リッドのスライドに伴い、前記リッドが位置決め手段のどの位置に存在するかを認識するための目印を設けるようにすると良い。このような構成とすることにより、リッドが、外殻のどの位置に存在するかを相対的に認識することができる。よって、ステーを組付けた際には、ステーの組付け位置を具体的に認識することができる。
【００１６】
さらに、上記目的を達成するための本発明に係るキャリアバーの組付け構造は、側、または長手方向中心側へ向けて延設されており、前記長手方向端部側へ向けて延設されている場合には終端を前記外殻における長手方向端部により構成され、前記外殻の長手方向中心側へ向けて延設されている場合には終端を前記外殻における長手方向中心部により構成されている位置決め用開口部と、前記組付け用開口部に挿入されるクランプ機構に対する係合部を有し、前記組付け用開口部を基点として前記外殻において前記位置決め用開口部形成方向と反対側に配置され、前記位置決め用開口部側へスライドさせることにより前記組付け用開口部、および前記位置決め用開口部の一部を封止するリッドとを備え、前記組付け用開口部は、前記クランプ機構の前記ヘッドを挿入可能な開口幅、および開口長を有し、前記位置決め用開口部は、前記組付け用開口部よりも狭く、前記括れ部をスライド可能な開口幅と、前記組付け用開口部よりも長い開口長を有するキャリアバーと、前記キャリアバーを支持するキャリアバー組付け面に、前記組付け用開口部に挿入可能で、前記位置決め用開口部よりも広い幅に構成されたヘッドと、前記位置決め用開口部への侵入を可能とする括れ部とを有するクランプ機構を有するステーとを備え、前記クランプ機構を前記組付け用開口部に挿入した際に前記リッドの前記係合部を係合させ、前記ステーを前記位置決め用開口部側へスライドさせると共に、前記リッドのスライドを成すことを特徴とする。
【００１７】
また、上記のような特徴を有するキャリアバーの組付け構造では、前記リッド、と前記外殻には、前記リッドのスライドに伴い、前記ステーが位置決め手段のどの位置に存在するかを認識するための目印を設けるようにすると良い。これによりキャリアバーに対するステーの組付け位置を具体的に認識することが可能となる。
【発明の効果】
【００１８】
上記のような特徴を有するキャリアバーによれば、ステーの組付けを適切に行うことを可能とし、かつキャリアバーに対するステーの組付け位置の調整自由度を向上させることができる。
【図面の簡単な説明】
【００１９】
【図１】実施形態に係るキャリアバーの平面側を主体とした斜視図である。
【図２】実施形態に係るキャリアバーの底面側を主体とした斜視図である。
【図３】実施形態に係るキャリアバーの側面図である。
【図４】図１、図２におけるＡ−Ａ断面を示す図である。
【図５】図１、図２におけるＢ−Ｂ断面を示す図である。
【図６】実施形態に係るステーの平面構成を示す図である。
【図７】図６におけるＣ−Ｃ断面を示す図である。
【図８】実施形態に係るステーの右側面を示す図である。
【図９】実施形態に係るキャリアバーとステーの係合関係を説明するための部分断面側面図である。
【図１０】実施形態に係るリッドの正面構成を示す図である。
【図１１】実施形態に係るリッドの底面構成を示す図である。
【図１２】実施形態に係るキャリアバーとステーの係合に伴うリッドのスライド状態を説明するための図であり、（Ａ）は係合初期位置、（Ｂ）はスライド後の状態をそれぞれ示す。
【図１３】実施形態に係るキャリアバーに適用可能なステーの汎用性を説明するための図である。
【図１４】リッドの応用形態について説明するための図である。
【図１５】リッドに対して目盛りを設け、キャリアバーに対する相対位置を認識可能とする構成の一例を示す図である。
【発明を実施するための形態】
【００２０】
以下、本発明のキャリアバー、およびキャリア組付け構造に係る実施の形態について、図面を参照しつつ詳細に説明する。
まず、図１から図５を参照して、本発明のキャリアバーに係る実施の形態について説明する。なお、図１は、実施形態に係るキャリアバーの平面側を主体とした斜視図であり、図２は、実施形態に係るキャリアバーの底面側を主体とした斜視図である。また、図３は、実施形態に係るキャリアバーの端面を示す側面図である。また、図４は、図１、図２におけるＡ−Ａ断面を示す図であり、図５は、同Ｂ−Ｂ断面を示す図である。
【００２１】
本実施形態に係るキャリアバー１０は、長尺に形成された外殻１２と、外殻１２内部の中空領域（後部中空領域２６〜前部中空領域３２）を構成する複数の隔壁（第１隔壁１８〜第４隔壁２４）、組付け用開口部１４、および位置決め用開口部１６を基本として構成されている。外殻１２は、キャリアバー１０の外観形状を定める要素である。その形状は、特に限定されるものでは無いが、機能性を考慮した場合には、楕円形や流線形とすることが望ましい。キャリアバー１０は、車両のルーフ上部に、当該ルーフを跨ぐように配置される。このため、進行方向に対して流線形の断面形状を持つようにすることで、空気の抵抗や、空気の巻き込みに伴う騒音の発生を抑制することができるからである。
【００２２】
隔壁１２は、キャリアバー１０の強度確保と軽量化を両立させるための要素である。よって、外殻１２を含み一体形成可能な各要素は、軽量、かつ所定の強度を保ち、熱や風雨、塵埃等に対する耐性を持つ部材により構成することが望ましい。具体的な構成部材としては、アルミや、アルミを主体とした合金等を挙げることができる。
【００２３】
また、本実施形態においては、中空領域（後部中空領域２６〜前部中空領域３２）に任意形状を持たせるための要素でもある。本実施形態に係るキャリアバー１０では、図３に側面構造、図４、図５に断面構造を示すように、第１から第４の４つの隔壁（第１隔壁１８〜第４隔壁２４）により、外殻１２内部の中空領域が、複数の領域に区分けされている。なお、図１〜図５に示す形態は、実施形態に係るキャリアバーの一例であり、中空領域の区分け形態や隔壁の数に関しては、これを種々変更したとしても、本発明の一部とみなすことができる。
【００２４】
図３から図５に詳細を示す本実施形態に係るキャリアバー１０では、キャリアバー１０の中空領域は、第１〜第４の隔壁１８〜２４により、４つの領域に分別されている。第１隔壁１８は、中空領域に垂直に配置される隔壁であり、後部中空領域２６と、その他の領域を分別するための隔壁を構成している。第２隔壁２０は、第１隔壁１８を基端として水平に配置される隔壁であり、上部中空領域２８と下部中空領域３０とを分別するための隔壁を構成している。また、第３隔壁２２は、第２隔壁２０と外殻１２の上部を繋ぐ隔壁であり、上部中空領域２８と前部中空領域３２とを分別するための隔壁を構成している。さらに、第４隔壁２４は、第２隔壁２０と外殻１２の下部を繋ぐ隔壁であり、下部中空領域３０と前部中空領域３２とを分別するための隔壁を構成している。
【００２５】
キャリアバー１０の中空領域にこのような隔壁（第１隔壁１８〜第４隔壁２４）を配置することで、複数の中空領域を任意の形状、大きさとすることができると共に、キャリアバーの強度確保を図ることができる。
【００２６】
外殻１２の上部には、上部中空領域２８と連通するアタッチメント溝３４が形成されている。アタッチメント溝３４は、ボックスやラック、その他固定パーツ等のアタッチメントを接続するための溝であり、外殻１２の長手方向に沿って全域に形成されている。アタッチメント溝３４の幅は、上部中空領域２８の幅よりも狭く形成されている。このような構成とすることにより、図示しないアタッチメントに備えられた図示しないクランプ機構のヘッドを上部中空領域２８に配置し、ヘッドとベースにより、アタッチメント溝３４の側面に位置する外殻１２を挟み込み、アタッチメントを任意の位置に固定することが可能となる。
【００２７】
なお、上部中空領域２８、およびアタッチメント溝３４は、不使用時には、封止部材３６を配置しておくことが望ましい。封止部材３６を配置して上部中空領域２８、およびアタッチメント溝３４を塞ぐことにより、外殻１２表面の段差を減らすことができる。これにより車両走行中における風の巻き込みによる騒音の発生や、塵埃の堆積による溝の詰まりなどを防ぐことができる。
【００２８】
下部中空領域３０を構成する外郭１２の下面側には、長手方向端部側に、組付け用開口部１４と位置決め用開口部１６が、それぞれ対を成すように形成されている。組付け用開口部１４と位置決め用開口部１６は、それぞれの開口部が連通するように形成されている。位置決め用開口部１６は、組付け用開口部１４を基点として外殻１２の長手方向端部側へ向けて形成されている。位置決め用開口部１６の終端には、外殻１２の長手方向端部が設けられている。
【００２９】
組付け用開口部１４は、詳細を後述するステー４０に設けたクランプ機構４４のガイド爪４８、５０およびクランプ爪５２ヘッドを挿入可能な開口幅Ｗ、および開口長Ｌを有する（図６〜図８参照）。また、位置決め用開口部１６は、組付け用開口部１４の開口幅Ｗより狭く、ガイド爪４８，５０のネック４８ｂ，５０ｂ、およびクランプ爪５２の引込み部５２ｂをスライド可能な開口幅ｗを有し、組付け用開口部１４の開口長Ｌよりも長い開口長ｌを有する（図６〜図８参照）。
【００３０】
このような構成とすることにより、組付け用開口部１４にクランプ機構４４を構成するガイド爪４８，５０、およびクランプ爪５２のヘッド４８ａ，５０ａ，５２ａを挿入した後、位置決め用開口部１６へスライドさせて、ステー４０を組み付けることができる。また、位置決め用開口部１６の開口長ｌを組付け用開口部１４の開口長Ｌよりも長くしているため、ステー４０の組み付け位置の調整を行うことが可能となる（図６〜図８参照）。
【００３１】
次に、上記のような基本構成を有するキャリアバー１０に組付けられ、キャリアバー１０を車両のルーフに固定する役割を担うステー４０について説明する。なお、図６から図８に示すステー４０は、好適な形態の１例であり、本発明のキャリアバー１０に適用可能なステーは、これに限定されるものでは無い。なお、図６は、ステーの平面構成を示す図であり、図７は、図６におけるＣ−Ｃ断面を示す図である。また、図８は、ステーの右側面を示す図である。
【００３２】
図６〜図８に示すステー４０は、本体４２と、クランプ機構４４、および取付ベルト４６を備えている。本体４２は、キャリアバー組付け面４２ａと、車両側組付け面４２ｂ（ルーフレール等への組付け面）を主として構成される。クランプ機構４４は、キャリアバー組付け面４２ａに突出するように配置されている。実施形態に係るクランプ機構４４は、一対のガイド爪４８，５０と、クランプ爪５２により構成されている。一対のガイド爪４８，５０は、キャリアバー組付け面４２ａの長手方向に、クランプ爪５２を挟み込むように配置されている。一対のガイド爪４８，５０をキャリアバー組付け面４２ａの長手方向に配置することで、キャリアバー１０を組付ける際、キャリアバー１０とステー４０が捻れた状態となることを防止することができる。
【００３３】
ガイド爪４８，５０はそれぞれ、ヘッド４８ａ，５０ａとネック４８ｂ，５０ｂを基本として構成される。ヘッド４８ａ，５０ａは、組付け用開口部１４に挿入可能な幅で、位置決め用開口部１６よりも広い幅を有するように構成される。一方ネック４８ｂ，５０ｂは、ヘッド４８ａ，５０ａ及び位置決め用開口部１６よりも狭い幅と、組付けの際にクランプを阻害しない高さを有するように構成される。
【００３４】
クランプ爪５２は、ヘッド５２ａと引込み部５２ｂ（括れ部）により構成される。ヘッド５２ａは、組付け用開口部１４に挿入可能な幅で、位置決め用開口部１６よりも広い幅を有するように構成される。一方引込み部５２ｂは、ヘッド５２ａと、位置決め用開口部１６よりも狭い幅に形成され、キャリアバー組付け面４２ａへの沈降を可能に構成されている。このような構成とすることで、ヘッド５２ａをキャリアバー組付け面４２ａ側へ引き付けることが可能となり、キャリアバー組付け面４２ａを支持面とし、ヘッド５２ａとの間にキャリアバー１０の外殻１２を挟み込み、固定することができる。引込み部５２ｂの沈降は、詳細を後述する取付ベルト４６の挙動に連動するように構成されている。すなわち、取付ベルト４６に、当該ベルトを引き出す方向の力が加えられると、引込み部５２ｂがキャリアバー組付け面４２ａ内に沈降し、ヘッド５２ｂがクランプ作用を発揮することとなる。
【００３５】
取付ベルト４６は、図示しない車両ルーフに配置された図示しないルーフレール等に掛け回し、先端をフック部４２ｃに引掛けることで、ステー４０をルーフに固定する要素である。なお、取付ベルト４６は、本体に設けられた調整機構５４を介して、締付け具合を調整することを可能に構成されている。
【００３６】
また、実施形態に係るステー４０のキャリアバー組付け面４２ａは、キャリアバー１０の組付け側面の形状に沿った凹状に形成されている。これにより、キャリアバー１０を組付けた際の安定性が向上する。また、実施形態に係るキャリアバー１０は、図９に詳細を示すように、外殻１２におけるキャリアバー組付け面４２ａと対向する面に、係合用凹部３８を備えている。そして、ステー４０におけるキャリアバー組付け面４２ａには、キャリアバー１０に設けられている係合用凹部３８に対応する位置に、係合用凸部５３が備えられている。このため、キャリアバー１０をステー４０に組付ける際には、係合用凹部３８に係合用凸部５３が嵌り込む。このため、キャリアバー１０とステー４０の組付け状態にズレや捻れが生じ難く、適切な組付け状態を維持することが可能となる。
【００３７】
また、上記実施形態に係るキャリアバー１０は、組付け用開口部１４、および位置決め用開口部１６を封止するリッドを備えることもできる。リッドは、例えば図１０、図１１に示すような形態とすると良い。なお、図１０は、正面構成を示す図であり、図１１は、リッドの平面（下面側）構成を示す図である。
【００３８】
図１０、図１１に示すリッド６０は、封止部６２と、係合部６４、およびストッパ部６６を基本として構成されている。封止部６２は、下部中空領域３０に嵌入可能な厚みを有する。また、少なくとも封止部６２の板幅Ｗ１が、組付け用開口部１４の開口幅Ｗよりも大きく、下部中空領域３０へ嵌入可能な構成とする。これにより、ガタツキ無く組付け用開口部１４、および位置決め用開口部１６の双方を封止することができる。
【００３９】
係合部６４は、クランプ機構４４におけるガイド爪４８，５０に係合する部位であり、ステー４０の移動に対して、封止部６２を追従させる役割を担う。実施形態に係るリッド６０では、係合部６４は、先端板６４ａと後端壁６４ｂ、および先端板６４ａと後端壁６４ｂとを連結する連結部６４ｃとによって構成される枠体としている。このような構成の係合部６４に、クランプ機構４４のガイド爪４８，５０を係合することで、封止部６２は、ステー４０の移動に伴ってスライドし、組付け用開口部１４や位置決め用開口部１６を封止することとなる。
【００４０】
実施形態に係るリッド６０は、下部中空領域３０に配置する際、図１２（Ａ）に示すように、係合部６４を組付け用開口部１４に合わせて配置し、封止部６２を係合部６４よりも、外殻１２の長手方向中心側に配置する。ストッパ部６６は、このような配置形態を採るリッド６０において、初期位置の位置決めを成すための役割を担う。ストッパ部６６は、封止部６２が構成する平面よりも突出するように凸状に形成されている。このような構成とすることで、ストッパ部６６が組付け用開口部１４の中心側端部に引っかかり、初期位置の位置決めを行うことができる。
【００４１】
また、ストッパ部６６を構成する凸状部の幅は、位置決め用開口部１６の開口幅ｗよりも狭くなるように構成し、かつ長手方向において位置決め用開口部１６と重なる位置に設けられている。このような構成とすることで、図１２（Ｂ）に示すように、リッド６０を位置決め用開口部１６側へスライドさせた際、ストッパ部６６が位置決め用開口部１６を通ることとなる。
【００４２】
また、実施形態に係るリッド６０では、ストッパ部６６の両端に、封止部６２側に向けたスリット６６ａが形成されている。これにより、ストッパ部６６を構成する板片にバネ性を持たせることができる。このため、リッド６０を外殻１２の端部から下部中空領域３０へ挿入する際、ストッパ部６６を一時的に撓ませ、ストッパ部６６への引掛りによる挿入不良を回避することが可能となる。
【００４３】
このような構成のキャリアバー１０、およびその組付け構造によれば、ステー４０の組付けを簡易かつ適切に行うことが可能となる。また、キャリアバー１０に対するステー４０の組付け位置の調整に自由度を持たせることができる。
【００４４】
また、ステー４０にキャリアバー１０を組付けた後、組付け用開口部１４、および位置決め用開口部１６をリッド６０により封止する構成を採るため、開口部に対する風の巻き込みに起因する騒音等を抑制することができる。また、リッド６０を予め、キャリアバーの下部中空領域３０に内在させておく構成を採ることにより、リッド６０の組付け忘れや、リッド６０の紛失を防ぐことができる。
【００４５】
さらに、リッド６０に係合部６４を設け、係合部６４をステー４０のクランプ機構４４に係合させる構成としたことにより、ステー４０の移動に伴い、リッド６０が自動でスライドし、封止部６２が組付け用開口部１４や、位置決め用開口部１６を封止することが可能となった。これにより、開口部の封止を忘れることが無くなる。
【００４６】
また、上記実施形態では、ステー４０に関し、具体的な例を挙げて説明したが、図１３に示すように、本発明のキャリアバー１０に対して係合可能なクランプ機構を有するステーであれば、発明に係る組付け構造に適用することができる。
【００４７】
また、上記実施形態では、リッド６０は、平板状とし、キャリアバー１０を構成する外殻１２の長手方向中心側のみに配置する旨説明した。しかしながら、本発明に適用可能なリッドは、図１４に示すように、封止部６２ａをベルト状に形成して無限端とする構成としても良い。このような構成のリッド６０ａを採用することによれば、係合部６４以外の開口部（組付け用開口部１４、位置決め用開口部１６）が、ステー４０を組付け、移動させない状態であっても、封止された状態を維持することとなる。また、ステー４０を組付けて移動させた場合には、無限端とした封止部６２ａが順次回動、スライドし、各開口部を封止することとなる。
【００４８】
また、上記実施形態では、リッド６０（６０ａ）は、単に組付け用開口部１４や位置決め用開口部１６を封止する部材であるように説明した。しかしながら、本発明では、リッド６０に、他の機能を持たせることもできる。具体的には、図１５に示すように、外角１２に対するリッド６０のスライド位置を相対的に認識することができるように、外殻１２とリッド６０の双方に目盛り等の目印を設けるようにすることを挙げることができる。なお、図１５において、（Ａ）は組付け用開口部１４にステー４０を配置した際の底面形態を示す図であり、（Ｂ）はリッド６０の係合部６４の全体が位置決め用開口部１６の開口範囲に入った際の底面形態を示す図であり、（Ｃ）はステー４０の組付け位置を定めるために、リッド６０がさらにスライドした状態の底面形態を示す図である。
【００４９】
図１５に示す例では、外殻１２側には、組付け用開口部１４の縁に、位置決めの基準となる基準マーク３９を設けている。そして、リッド６０には、封止部６２に、基準マーク３９と対応することで、相対的な位置を示すこととなる目盛り６８を設けるようにしている。図１５に示す例では、目盛り６８は、係合部６４の全体が位置決め用開口部１６の開口範囲に入った位置を０とし、この０の目盛りが基準マーク３９と対応するように設けている（具体的には、図１５（Ｂ）参照）。
【００５０】
このような構成とすることにより、ステー４０のスライドに伴い、リッド６０の目盛り６８と外殻１２の基準マーク３９の対応位置が変化し、キャリアバー１０に対するステー４０の相対位置を数値的に認識することが可能となる。これにより、車種毎にステー４０の適正な組付け位置を予め定めておくことが可能となり、この定めた組付け位置に合わせてステー４０の組付けを行うことで、微調整の手間を省き、迅速な組付けが可能となる。
【００５１】
上記実施形態では、組付け用開口部１４の縁に基準マーク３９を設け、この基準マーク３９とリッド６０に設けた目盛り６８に基づいて、スライド位置の把握を行う旨説明した。しかしながら、キャリアバー１０側では、組付け用開口部１４における長手方向の開口端部自体を、基準位置とすることもできる。また、目盛りと基準マークの配置パターンを逆転させ、リッド６０に基準マークを設け、組付け用開口部、および位置決め用開口部の縁に目盛りを設けるようにしても良い。
【００５２】
また、上記実施形態では、いずれも、組付け用開口部１４と位置決め用開口部１６の関係において、組付け用開口部１４よりも位置決め用開口部１６の方が、外殻１２の長手方向端部側に配置されているように説明した。しかしながら、本発明に係るキャリアバー１０では、組付け用開口部１４よりも位置決め用開口部１６を外殻１２の長手方向中心側へ配置する構成としても良い。この場合、位置決め用開口部１６の終端は、外殻１２の長手方向中心部により構成されることとなる。
【符号の説明】
【００５３】
１０………キャリアバー、１２………外殻、１４………組付け用開口部、１６………位置決め用開口部、１８………第１隔壁、２０………第２隔壁、２２………第３隔壁、２４………第４隔壁、２６………後部中空領域、２８………上部中空領域、３０………下部中空領域、３２………前部中空領域、３４………アタッチメント溝、３６………封止部材、３８………係合用凹部、４０………ステー、４２………本体、４２ａ………キャリアバー組付け面、４２ｂ………車両側組付け面、４２ｃ………フック部、４４………クランプ機構、４６………取付ベルト、４８………ガイド爪、４８ａ………ヘッド、４８ｂ………ネック、５０………ガイド爪、５０ａ………ヘッド、５０ｂ………ネック、５２………クランプ爪、５２ａ………ヘッド、５２ｂ………引込み部、５３………係合用凸部、６０，６０ａ………リッド、６２，６２ａ………封止部、６４………係合部、６４ａ………先端板、６４ｂ………後端壁、６４ｃ………連結部、６６………ストッパ部、６６ａ………スリット。
【図１】
2015058725.tif 000003
【図２】
2015058725.tif 000004
【図３】
2015058725.tif 000005
【図４】
2015058725.tif 000006
【図５】
2015058725.tif 000007
【図６】
2015058725.tif 000008
【図７】
2015058725.tif 000009
【図８】
2015058725.tif 000010
【図９】
2015058725.tif 000011
【図１０】
2015058725.tif 000012
【図１１】
2015058725.tif 000013
【図１２】
2015058725.tif 000014
【図１３】
2015058725.tif 000015
【図１４】
2015058725.tif 000016
【図１５】
2015058725.tif 000017